(57)【特許請求の範囲】
【請求項１】
規格の異なる光学式記録媒体を個別に読み取る読取部と、
各種指示が入力される入力部と、
前記読取部により読み取られた前記光学式記録媒体内のデータを基に再生データを作成する再生部と、
画像表示可能な外部機器に前記再生部で作成された再生データを出力する出力部と、
前記読取部で読み取られた前記光学式記録媒体の規格を認識するとともに、前記入力部に入力された各種指示に基づいて再生が実行されるように前記再生部を制御する制御部とを備え、
前記各種指示には、前記規格の異なる光学式記録媒体のそれぞれに対して関連した複数の操作内容が含まれていて、
前記関連した複数の操作内容のうち、１つの操作内容は１項目の操作から、他の操作内容は多項目の操作からなっていて、
前記制御部は、
再生中の前記光学式記録媒体の規格に対応する前記操作内容が前記１つの操作内容である場合には、前記入力部からの指示を前記１項目の操作として前記再生データに直接反映されるように、前記再生部を制御して、
再生中の前記光学式記録媒体の規格に対応する前記操作内容が前記他の操作内容である場合には、当該他の操作内容における前記多項目を選択可能な操作入力画面が表示されるように、前記再生部を制御して、前記再生データを変更することを特徴とするＤＶＤ再生装置。
【請求項２】
請求項１記載のＤＶＤ再生装置において、
前記１つの操作内容は前記光学式記録媒体のＶＩＤＥＯ規格に対応した字幕切替であり、
前記他の操作内容は前記光学式記録媒体のＡＵＤＩＯ規格に対応した静止画切替であることを特徴とするＤＶＤ再生装置。
【発明の詳細な説明】
【技術分野】
【０００１】
本発明は、ＤＶＤ再生装置に関する。
【背景技術】
【０００２】
ＤＶＤ  ＶＩＤＥＯ規格のＤＶＤを再生するＤＶＤ再生装置においては、リモコンや本体の字幕切替キーからの切替信号に基づいて、字幕の有無や、字幕言語が切り替えられるようになっている（例えば特許文献１参照）。
ところで、オーディオ用ＤＶＤの読み出し専用型には、前述のＤＶＤ  ＶＩＤＥＯ規格以外にもＤＶＤ  ＡＵＤＩＯ規格がある。近年のＤＶＤ再生装置では、いずれの規格のＤＶＤをも再生できるようになっている。
【０００３】
このようなＤＶＤ再生装置であると、それぞれの規格に対して専用の操作キーを設けると、操作キーが乱立することになるので、同一の操作内容については操作キーを統一して、操作キーの削減を図っている。
ここで、同一の操作内容とは、例えば、再生、一時停止、早送り、早戻し、停止など、対象が楽曲と映像とで異なるものの両規格のＤＶＤでも同じように用いられる操作内容のことである。
【０００４】
さらに、同一の操作内容でなくとも両規格で関連した操作内容に対しては、所定の操作キーを操作して、画面上に操作入力画面（ＯＳＤ：Ｏｎ  Ｓｃｒｅｅｎ  Ｄｉｓｐｌａｙ）を表示させることで、関連した操作内容を実行できるようになっている。
関連した操作内容とは、両規格のＤＶＤで完全に一致しないものの、操作の目的が類似している操作内容のことである。例えば、ＤＶＤ  ＶＩＤＥＯ規格における字幕切替と、ＤＶＤ  ＡＵＤＩＯ規格における静止画切替とが関連した操作内容として挙げられる。これらの切替操作は、操作の目的としては各項目を切り替えるというものであるが、字幕切替が周回的に切替可能であるものに対して、静止画切替は周回的な切替だけでなくホームポジションへの復帰切替が必要という点で異なっている。つまり、字幕切替であると周回的な切替が可能であるために順送り操作という１つの操作項目だけでも十分であり、静止画切替であると順送り操作、逆送り操作及びホームポジション復帰操作の３つの操作項目が必要となる。
【０００５】
以下、操作入力画面を使用した操作について図３を参照して説明する。図３は操作入力画面使用時におけるフローチャートである。なお、この操作入力画面の使用前においてはＤＶＤ再生装置内のＤＶＤがいずれの規格であるかが認識されている。
【０００６】
まず、ステップＳ１０１では、ＤＶＤ再生装置の制御部は、操作入力画面表示用の操作キーから表示指示が入力されているか否かを判断し、入力されていない場合にはそのまま待機し、入力されている場合にはステップＳ１０２に移行する。
【０００７】
ステップＳ１０２では、制御部は、装置内のＤＶＤの規格がＤＶＤ  ＶＩＤＥＯ規格か、ＤＶＤ  ＡＵＤＩＯ規格かを判断し、ＤＶＤ  ＶＩＤＥＯ規格の場合にはステップＳ１０３に移行して、ＤＶＤ  ＡＵＤＩＯ規格の場合にはステップＳ１０５に移行する。
【０００８】
ステップＳ１０３では、制御部は、字幕切替用の操作入力画面を表示させる。この場合、字幕有無及び字幕言語を順送り操作により選択可能となっている。
ステップＳ１０４では、制御部は、選択された字幕の表示を決定して、操作入力画面表示を終了する。
【０００９】
ステップＳ１０５では、制御部は、静止画切替用の操作入力画面を表示させる。この場合、各静止画を順送り操作、逆送り操作及びホームポジション操作により選択可能となっている。
ステップＳ１０６では、制御部は、選択された静止画の表示を決定して、操作入力画面表示を終了する。
以上により、両規格で関連した操作内容を操作入力画面により実行できることになる。
【特許文献１】特開２０００−３３１４６４号公報
【発明の開示】
【発明が解決しようとする課題】
【００１０】
しかしながら、両規格で関連した操作内容に、上記の字幕切替のように１つの操作項目だけで操作を実行できるものがある場合には、操作のたびに操作入力画面を表示させるのはユーザに煩わしさを感じさせる要因となっていた。
【００１１】
本発明の課題は、規格の異なるＤＶＤを再生可能なＤＶＤ再生装置であっても、操作入力画面を用いた操作を削減して、操作効率を高めることである。
【課題を解決するための手段】
【００１２】
請求項１記載の発明におけるＤＶＤ再生装置は、
規格の異なる光学式記録媒体を個別に読み取る読取部と、
各種指示が入力される入力部と、
前記読取部により読み取られた前記光学式記録媒体内のデータを基に再生データを作成する再生部と、
画像表示可能な外部機器に前記再生部で作成された再生データを出力する出力部と、
前記読取部で読み取られた前記光学式記録媒体の規格を認識するとともに、前記入力部に入力された各種指示に基づいて再生が実行されるように前記再生部を制御する制御部とを備え、
前記各種指示には、前記規格の異なる光学式記録媒体のそれぞれに対して関連した複数の操作内容が含まれていて、
前記関連した複数の操作内容のうち、１つの操作内容は１項目の操作から、他の操作内容は多項目の操作からなっていて、
前記制御部は、
再生中の前記光学式記録媒体の規格に対応する前記操作内容が前記１つの操作内容である場合には、前記入力部からの指示を前記１項目の操作として前記再生データに直接反映されるように、前記再生部を制御して、
再生中の前記光学式記録媒体の規格に対応する前記操作内容が前記他の操作内容である場合には、当該他の操作内容における前記多項目を選択可能な操作入力画面が表示されるように、前記再生部を制御して、前記再生データを変更することを特徴としている。
【００１３】
請求項２記載の発明は、請求項１記載のＤＶＤ再生装置において、
前記１つの操作内容は前記光学式記録媒体のＶＩＤＥＯ規格に対応した字幕切替であり、
前記他の操作内容は前記光学式記録媒体のＡＵＤＩＯ規格に対応した静止画切替であることを特徴としている。
【発明の効果】
【００１４】
本発明によれば、再生中の光学式記録媒体の規格に対応する操作内容が、１つの操作内容である場合には、入力部からの指示が１項目の操作として再生データに直接反映されて、他の操作内容である場合には、当該他の操作内容における多項目を選択可能な操作入力画面が表示されるので、１つの操作内容を入力する際には、操作入力画面を表示しなくとも操作を実行することが可能となる。つまり、規格の異なる光学式記録媒体を再生可能なＤＶＤ再生装置であっても、操作入力画面を用いた操作を削減することができ、結果として操作効率が高められることになる。
【００１５】
特に、光学式記録媒体のＶＩＤＥＯ規格に対応した字幕切替が１つの操作内容で、光学式記録媒体のＡＵＤＩＯ規格に対応した静止画切替が他の操作内容である場合に、好適である。
【発明を実施するための最良の形態】
【００１６】
以下、図面を参照しつつ、本発明の実施形態について説明する。図１は、本実施形態のＤＶＤ再生装置１の全体構成を表すブロック図である。図１に示すように、ＤＶＤ再生装置１には、規格の異なる光学式記録媒体２を個別に読み取る読取部３と、各種指示が入力される入力部４と、読取部３により読み取られた光学式記録媒体２内のデータを基に再生データを作成する再生部５と、画像表示可能な外部機器６に再生部５で作成された再生データを出力する出力部７と、読取部３で読み取られた光学式記録媒体２の規格を認識するとともに、入力部４に入力された各種指示に基づいて再生が実行されるように再生部５を制御する制御部８とが備えられている。
【００１７】
規格の異なる光学式記録媒体２としては、例えばＤＶＤ  ＶＩＤＥＯ規格のＤＶＤや、ＳＵＰＥＲ  ＶＩＤＥＯ規格のＣＤ、ＤＶＤ  ＡＵＤＩＯ規格のＤＶＤなどが挙げられる。
【００１８】
読取部３には、光学式記録媒体２を回転させるためのスピンドルモータ３１と、スピンドルモータ３１を制御するスピンドルサーボ制御部３２と、スピンドルモータ３１により回転された光学式記録媒体２内のデータを読み取るピックアップ３３と、ピックアップ３３のフォーカス、トラッキング、スレッドを調節するためのサーボ制御部３４と、光学式記録媒体２内のデータを読み取ることでピックアップ３３が出力したアナログ信号に対して、演算処理することにより、ＲＦ信号、トラッキングエラー信号（ＴＥ）、フォーカスエラー信号（ＦＥ）等を抽出する信号生成回路３５が設けられている。
【００１９】
入力部４は、図示しないＤＶＤ再生装置本体に設けられた操作キーや、リモコンに設けられた操作キーから構成されている。この入力部４から入力される各種指示には、各規格の光学式記録媒体２に対して同一の操作内容からなる指示（例えば、再生、一時停止、早送り、早戻し、停止など）と、各規格で関連した複数の操作内容からなる指示（例えば、ＤＶＤ  ＶＩＤＥＯ規格やＳＵＰＥＲ  ＶＩＤＥＯ規格における字幕切替と、ＤＶＤ  ＡＵＤＩＯ規格における静止画切替）などが含まれている。
【００２０】
ここで、関連した複数の操作内容のうち、１つの操作内容は１項目の操作から、他の操作内容は多項目の操作からなっている。具体的に説明すると、１項目の操作とは、１つ指示を実行する際に選択項目が１つである操作のことである。例えば、字幕切替のような周回的な切り替え操作であると、選択項目が１つであるために操作キーを１回押下すればよく、これを繰り返すことで字幕言語や字幕有無の切替を順送りで切り替えることが可能である。
【００２１】
一方、多項目の操作とは、１つの指示を実行する際に選択項目が２項目以上となる操作のことである。例えば、静止画切替のような順送り操作、逆送り操作及びホームポジション復帰操作の３つの選択項目が必要である場合には、何れかの項目を選択する選択操作と実行操作とがあるので、操作キーを複数回押下することにより、各操作が実行されるようになっている。
これら１つの操作内容及び他の操作内容が入力される操作キーは、１つの操作キーで兼用されている。以下、この操作キーを兼用キーとする。
【００２２】
再生部５は、信号生成回路３５や、スピンドルサーボ制御部３２、サーボ制御部３４に電気的に接続されている。再生部５には、信号生成回路３５から入力されたＦＥ信号、ＴＥ信号を基にピックアップ３３の位相を補償するための位相補償回路５１が設けられていて、この位相補償回路５１により位相が補償された制御信号がサーボ制御部３４にフィードバックされるようになっている。また、再生部５には、信号生成回路３５から入力されたＲＦ信号や基準周波数と、出力信号との周波数を一致させるＰＬＬ回路５２が設けられている。ＰＬＬ回路５２は、基準周波数をスピンドルサーボ制御部３２に出力していて、スピンドルサーボ制御部３２によるスピンドルモータ３１の回転制御を実行させている。これら読取部３から入力された信号を基にして、再生部５は再生データを作成するようになっている。
【００２３】
出力部７は、デジタル信号である再生データをアナログ信号に変換するＤ／Ａ変換器であり、この出力部７が、外部機器６にアナログ信号化された再生データを出力するようになっている。
【００２４】
制御部８には、再生部５が接続されていて、制御部８は、再生部５で作成された再生データが入力されることで、この再生データを基に光学式記録媒体２の規格を認識するようになっている。また、制御部８には、入力部４が接続されていて、制御部８は、入力部４に入力された各種指示に基づいて再生が実行されるように再生部５を制御するようになっている。そして、制御部８には、字幕データを記憶するメモリ９が接続されていて、制御部８は、字幕表示時においてはメモリ９内の字幕データが再生データに重ね合わされるように、再生部５を制御するようになっている。ここで、メモリ９内には複数言語の字幕データが記憶されていて、各字幕データはそれぞれナンバリングされている。例えば、英語、日本語、中国語の３つの字幕データに対しては、英語字幕データは１番、日本語字幕データは２番、中国語字幕データは３番という具合にナンバリングされている。
【００２５】
また、制御部８は、再生中の光学式記録媒体２の規格に対応する操作内容が１つの操作内容である場合には、入力部４における兼用キーからの指示を１項目の操作として再生データに直接反映されるように、再生部５を制御する。例えば、１つの操作内容が字幕切替である場合には、入力部４の兼用キーに対して１回の押下操作があると、制御部８は、その兼用キーからの指示信号を１項目の操作として判断し、字幕が周回的に切り替わるように再生部５を制御して、再生データを切り替える。
一方、再生中の光学式記録媒体２の規格に対応する操作内容が他の操作内容である場合には、制御部８は、他の操作内容における多項目を選択可能な操作入力画面が表示されるように、再生部５を制御して、再生データを変更する。例えば、他の操作内容が静止画切替である場合には、入力部４の兼用キーに対して１回の押下操作があると、制御部８は、その兼用キーからの指示信号を多項目の操作として判断し、操作入力画面が表示されるように、再生部５を制御するようになっている。
【００２６】
次に、本実施形態の作用について図２のフローチャートを参照に説明する。
まず、ステップＳ１では、制御部８は、読取部３で読み取られて、再生部５を介して入力された光学式記録媒体２のデータから、当該光学式記録媒体２の規格を認識する。
ステップＳ２では、制御部８は、認識した光学式記録媒体２の規格が、ＶＩＤＥＯ規格であるか、ＡＵＤＩＯ規格であるかを判断し、ＶＩＤＥＯ規格である場合にはステップＳ３に移行して、ＡＵＤＩＯ規格である場合にはステップＳ２０に移行する。
【００２７】
ステップＳ３では、制御部８は、再生指示の有無を判断し、再生指示がない場合にはその状態で待機して、再生指示がある場合にはステップＳ４に移行する。
ステップＳ４では、制御部８は、入力部４の兼用キーから指示信号が入力されたか否かを判断し、入力されていない場合にはその状態で待機して、入力されている場合にはステップＳ５に移行する。
【００２８】
ステップＳ５では、制御部８は、兼用キーから入力される操作内容が１つの操作内容（例えば字幕切替）であると認識する。
ステップＳ６では、制御部８は、兼用キーから指示信号が入力される前の字幕表示状態を判断し、字幕表示がなかった場合にはステップＳ７に移行して、字幕表示があった場合にはステップＳ１０に移行する。
【００２９】
ステップＳ７では、制御部８は、１番の言語による字幕表示が実行されるように再生部５を制御して、ステップＳ８に移行する。
ステップＳ８では、制御部８は、所定時間内に再度兼用キーから指示信号が入力されたか否かを判断し、入力されている場合にはステップＳ６に移行して、入力されていない場合には終了する。
【００３０】
ステップＳ１０では、制御部８は、現在表示中の字幕の番号が最大値であるか否かを判断し、最大値である場合にはステップＳ１１に移行して、最大値でない場合にはステップＳ１２に移行する。
【００３１】
ステップＳ１１では、制御部８は、字幕表示がオフとなるように再生部５を制御して、ステップＳ８に移行する。
ステップＳ１２では、制御部８は、次の番号の字幕に切り替わるように再生部５を制御して、ステップＳ８に移行する。
【００３２】
ステップＳ２０では、制御部８は、再生指示の有無を判断し、再生指示がない場合にはその状態で待機して、再生指示がある場合にはステップＳ２１に移行する。
ステップＳ２１では、制御部８は、入力部４の兼用キーから指示信号が入力されたか否かを判断し、入力されていない場合にはその状態で待機して、入力されている場合にはステップＳ２２に移行する。
【００３３】
ステップＳ２２では、制御部８は、兼用キーから入力される操作内容が他の操作内容（例えば静止画切替）であると認識する。
ステップＳ２３では、制御部８は、外部機器６に操作入力画面が表示されるように、再生部５を制御する。静止画切替である場合には操作入力画面中に、順送り操作、逆送り操作、ホームポジション復帰操作の３種類の操作が表示されることになる。
【００３４】
ステップＳ２４では、制御部８は、入力部４により操作入力画面中のいずれの操作が選択されたかを判断し、順送り操作の場合にはステップＳ２５に移行して、逆送り操作の場合にはステップＳ２６に移行して、ホームポジション復帰操作の場合にはステップＳ２７に移行する。
【００３５】
ステップＳ２５では、制御部８は、順送りにより選択された静止画が表示されるように再生部５を制御して、終了する。
ステップＳ２６では、制御部８は、逆送りにより選択された静止画が表示されるように再生部５を制御して、終了する。
ステップＳ２７では、制御部８は、ホームポジションとして登録されている静止画が表示されるように再生部５を制御して、終了する。
【００３６】
以上のように、本実施形態によれば、再生中の光学式記録媒体２の規格に対応する操作内容が、字幕切替である場合には、入力部４の兼用キーからの指示が１項目の操作として再生データに直接反映されて、静止画切替である場合には、当該静止画切替における多項目を選択可能な操作入力画面が表示されるので、１つの操作内容を入力する際には、操作入力画面を表示しなくとも操作を実行することが可能となる。つまり、規格の異なる光学式記録媒体２を再生可能なＤＶＤ再生装置であっても、操作入力画面を用いた操作を削減することができ、結果として操作効率が高められることになる。
なお、本発明は上記実施形態に限らず適宜変更可能であるのは勿論である。
【図面の簡単な説明】
【００３７】
【図１】本実施形態に係るＤＶＤ再生装置の概略構成を表すブロック図である。
【図２】図１のＤＶＤ再生装置で実行されるプログラムのフローチャートである。
【図３】従来のＤＶＤ再生装置で実行されるプログラムのフローチャートである。
【符号の説明】
【００３８】
１      ＤＶＤ再生装置
２      光学式記録媒体
３      読取部
４      入力部
５      再生部
６      外部機器
７      出力部
８      制御部
９      メモリ
３１      スピンドルモータ
３２      スピンドルサーボ制御部
３３      ピックアップ
３４      サーボ制御部
３５      信号生成回路
５１      位相補償回路
５２      ＰＬＬ回路
【図１】
0004710665.tif 000002
【図２】
0004710665.tif 000003
【図３】
0004710665.tif 000004